【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
発光色が異なる第１発光素子および第２発光素子からなる各ドットが行列状に配置された表示部と、前記第１発光素子を駆動する第１信号駆動部と、前記第２発光素子を駆動する第２信号駆動部と、制御手段とを備え、前記制御手段は前記第１信号駆動部に第１階調信号を与え、前記第２信号駆動部に第２階調信号を与えると、点灯信号が与えられた前記第１発光素子は同一の第１階調にて点灯し、点灯信号が与えられた前記複数の第１発光素子は同一の第１階調にて点灯し、点灯信号が与えられた前記複数の第２発光素子は同一の第２階調にて点灯する事を特徴とする表示装置。
【請求項２】
前記表示部において、複数の走査線と、複数の第１信号線および複数の第２信号線とが行列状に設けられ、各第１発光素子の１側は各第１信号線に接続され、各第２発光素子の１側は各第２信号線に接続され、各第１発光素子の他側および各第２発光素子の他側は共通して、各走査線に接続されている事を特徴とする請求項１に記載の表示装置。
【請求項３】
前記各走査線は走査駆動部に接続され、各第１信号線は前記第１信号駆動部に接続され、各第２信号線は前記第２信号駆動部に接続されている事を特徴とする請求項２に記載の表示装置。
【請求項４】
前記第１階調にて点灯する事および前記第２階調にて点灯する事は、各々段階的に指示された点灯パルス幅に従い点灯する事であることを特徴とする、請求項１に記載の表示装置。
【請求項５】
前記制御手段に接続された入力部を設け、前記入力部において、前記第１発光素子に係る第１階調度が入力されると、前記制御手段は、前記第１階調度に対応する第１階調信号を与える事を特徴とする、請求項１に記載の表示装置。
【請求項６】
前記入力部において、前記第２発光素子に係る第２階調度が入力されると、前記制御手段は、前記第２階調度に対応する前記第２階調信号を与える事を特徴とする、請求項５に記載の表示装置。
【請求項７】
前記制御手段は、前記表示部に対し前記第１階調および前記第２階調にて前記第１階調度および第２階調度を表示させる事を特徴とする、請求項６に記載の表示装置。
【手続補正２】
【補正対象書類名】明細書
【補正対象項目名】０００４
【補正方法】変更
【補正の内容】
【０００４】
上記装置では、個々のドットについて、階調表示を行なうため、個々の緑色発光ダイオード３４および赤色発光ダイオード３５を階調制御している。そのため、個々の緑色発光ダイオード３４毎に、変換回路２４と、メモリ２８，２９と、演算ロジック部３２が必要となる。また、個々の赤色発光ダイオード３５毎に、変換回路２５と、メモリ３０，３１と、演算ロジック部３３が必要となる。この様に、回路構成が複雑となり、コストが高くなる、第１の欠点がある。
【手続補正３】
【補正対象書類名】明細書
【補正対象項目名】０００５
【補正方法】変更
【補正の内容】
【０００５】
更に、上記装置では、信号供給回路４から出力された信号データにより、各発光ダイオード３４，３５の階調が決定されていた。そのため、この装置の管理者は、階調を自由に制御できない、第２の欠点がある。故に、本発明はこの様な従来の欠点を考慮して、回路構成が簡単な、かつ、管理者が階調を自由に制御できる、表示装置を提供する。
【手続補正４】
【補正対象書類名】明細書
【補正対象項目名】０００６
【補正方法】変更
【補正の内容】
【０００６】
上記課題を解決するために、請求項１の本発明では、発光色が異なる第１発光素子および第２発光素子からなる各ドットが行列状に配置された表示部と、前記第１発光素子を駆動する第１信号駆動部と、前記第２発光素子を駆動する第２信号駆動部と、制御手段とを備え、前記制御手段は前記第１信号駆動部に第１階調信号を与え、前記第２信号駆動部に第２階調信号を与えると、点灯信号が与えられた前記複数の第１発光素子は同一の第１階調にて点灯し、点灯信号が与えられた前記複数の第２発光素子は同一の第２階調にて点灯する。
【手続補正５】
【補正対象書類名】明細書
【補正対象項目名】０００９
【補正方法】変更
【補正の内容】
【０００９】
請求項４の本発明では、前記第１階調にて点灯する事および前記第２階調にて点灯する事は各々、段階的に指示された点灯パルス幅に従い点灯する事である。
【手続補正６】
【補正対象書類名】明細書
【補正対象項目名】００１０
【補正方法】変更
【補正の内容】
【００１０】
請求項５の本発明では、前記制御手段に接続された入力部を設け、前記入力部において
前記第１発光素子に係る第１階調度が入力されると、前記制御手段は、前記第１階調度に対応する前記第１階調信号を与える。
【手続補正７】
【補正対象書類名】明細書
【補正対象項目名】００１１
【補正方法】変更
【補正の内容】
【００１１】
請求項６の本発明では、前記入力部において、前記第２発光素子に係る第２階調度が入力されると、前記制御手段は、前記第２階調度に対応する前記第２階調信号を与える。
【手続補正８】
【補正対象書類名】明細書
【補正対象項目名】００１２
【補正方法】変更
【補正の内容】
【００１２】
請求項７の本発明では、前記制御手段は前記表示部に対し、前記第１階調および前記第２階調にて、前記第１階調度および前記第２階調度を表示させる。
【手続補正９】
【補正対象書類名】明細書
【補正対象項目名】００１３
【補正方法】変更
【補正の内容】
【００１３】
請求項１の本発明では、第１発光素子を駆動する第１信号駆動部と、第２発光素子を駆動する第２信号駆動部を設ける。そして、制御手段は第１信号駆動部および第２信号駆動部に対し各々、第１階調信号と第２階調信号を与える。即ち、第１発光素子全部を均一に階調制御し、第２発光素子全部を均一に階調制御する。その結果、従来の様に、個々の発光素子を階調制御しないので、発光素子毎にメモリを持つ必要がなく、回路構成が簡単であり、コストも安い。
【手続補正１０】
【補正対象書類名】明細書
【補正対象項目名】００１６
【補正方法】変更
【補正の内容】
【００１６】
請求項４の本発明の様に、点灯パルス幅に従い、階調制御するので、正確な階調ができかつ、回路構成が簡単となる。
【手続補正１１】
【補正対象書類名】明細書
【補正対象項目名】００１７
【補正方法】変更
【補正の内容】
【００１７】
請求項５の本発明の構成により、管理者は、第１発光素子に係る階調を自由に制御できかつ、容易に操作する事ができる。
【手続補正１２】
【補正対象書類名】明細書
【補正対象項目名】００１８
【補正方法】変更
【補正の内容】
【００１８】
請求項６の本発明の構成により、管理者は、第２発光素子に係る階調を自由に制御できかつ、容易に操作する事ができる。
【手続補正１３】
【補正対象書類名】明細書
【補正対象項目名】００１９
【補正方法】変更
【補正の内容】
【００１９】
請求項７の本発明の構成により、第１階調度および第２階調度は、各々の第１階調および第２階調で表示される。その結果、管理者は自分が入力した第１および第２階調度を、第１および第２階調で見ることができ、混色の色合いを瞬時に知ることができる。その結果、管理者は望ましい色合いを、容易にかつ正確に設定する事ができる。
【手続補正１４】
【補正対象書類名】明細書
【補正対象項目名】００５６
【補正方法】変更
【補正の内容】
【００５６】
点灯制御回路２１は、表示部３ａ〜３ｄに接続された各第２信号駆動部１６，１７，１８，１９に対し、第２階調信号Ｉ２と、クロック信号Ｃと、ラッチ信号Ｌを出力する。
【手続補正１５】
【補正対象書類名】明細書
【補正対象項目名】００６９
【補正方法】変更
【補正の内容】
【００６９】
そして、その識別記号３３の右隣には、第２発光素子９の第２階調度３４（図２では、８を例示）が示されている。管理者が入力部２９の「５」のキーを押す毎に、第２階調度３４は大きくなる。ただし、上記例では、８が最大値であるので、これより大きくならない。
【手続補正１６】
【補正対象書類名】明細書
【補正対象項目名】００７０
【補正方法】変更
【補正の内容】
【００７０】
また、管理者が入力部２０の「８」のキーを押す毎に、第２階調度３４は大きくなる。ただし、最低値が１であり、これより小さくならない。上記内容をまとめる。入力部２９において、第２発光素子９に係る第２階調度３４が入力されると、制御手段２０は表示手段２に対し、第２階調度３４に対応する第２階調信号Ｉ２を与える。
【手続補正１７】
【補正対象書類名】明細書
【補正対象項目名】００７１
【補正方法】変更
【補正の内容】
【００７１】
この様に、制御手段２０は表示部３ａ，３ｂ，３ｃに対して、第１階調（例えば、階調８の事で、後述）にて、第１階調度３２（例えば８）を表示させる。
【手続補正１８】
【補正対象書類名】明細書
【補正対象項目名】００７２
【補正方法】変更
【補正の内容】
【００７２】
また、制御手段２０は表示部３ａ，３ｂ，３ｃに対して、第２階調（例えば、階調８の事で、後述）にて、第２階調度３４（例えば８）を表示させる。
【手続補正１９】
【補正対象書類名】明細書
【補正対象項目名】００９１
【補正方法】変更
【補正の内容】
【００９１】
この様にして、階調設定がなされると、表示部３ａ〜３ｄにおいて、その後は、第１発光素子８が階調８にて出力され、第２発光素子９が階調８にて出力される。この様にして階調８にて、橙色と青色は混合されて表示される。
【手続補正２０】
【補正対象書類名】明細書
【補正対象項目名】００９２
【補正方法】変更
【補正の内容】
【００９２】
次に、管理者は入力部２９において、例えば、第１階調度３２として８を入力し、第２階調度３４として１を入力した場合を、図１ないし図５と、図７に従って説明する。この時、第１発光素子８に係る第１階調度３２は８であり、図６で説明した例と同一であるので、説明を省略する。
【手続補正２１】
【補正対象書類名】明細書
【補正対象項目名】０１０２
【補正方法】変更
【補正の内容】
【０１０２】
この様にして、階調設定がなされると、表示部３ａ〜３ｄにおいて、その後は、第１発光素子８が階調８にて出力され、第２発光素子９が階調１にて出力される。この様にして各々、階調８，１にて、橙色と青色は混合されて、橙色の強い色合いにて表示される。
【手続補正２２】
【補正対象書類名】明細書
【補正対象項目名】０１０３
【補正方法】変更
【補正の内容】
【０１０３】
次に、管理者は入力部２９において、例えば、第１階調度３２として８を入力し、第２発光素子９に係る第２階調度３４として、「Ｎ」（Ｎは２から７までの整数）が入力された時の、各信号を説明する。この時、第１階調度３２は８であり、図６で説明した例と同一であるので、説明を省略する。
【手続補正２３】
【補正対象書類名】明細書
【補正対象項目名】０１０４
【補正方法】変更
【補正の内容】
【０１０４】
この時、ハイレベルの時間ａにおいて、第２階調信号Ｉ２のロウレベルの時間は、６４×Ｎ（μＳ）であり、ハイレベルの時間の合計は（５１２−６４×Ｎ）μＳである。